(57)【要約】【課題】水密性が高い建具を提供する。【解決手段】建具１００は、枠体１と、枠体１内に設けられ、框体２０を有する障子２Ａと、障子２Ａの上端部を中心にして、下端部を屋内外方向に回動させる回動機構４と、を備え、回動機構４は、框体２０の上框２１から枠体１の上枠１１側へ延び、先端部に左右方向を向く回動軸部４２３が設けられた回動体４２と、上枠１１から上框２１側へ延び、回動軸部４２３を回動可能に支持する軸支持部４１２が設けられた支持体４１と、を備え、回動機構４は、上枠１１及び上框２１の長手方向の略全長にわたって配置されていることを特徴とする。【選択図】図２
2019173355.tif 000002
【特許請求の範囲】
【請求項１】
枠体と、
該枠体内に設けられ、框体を有する障子と、
前記障子の上端部を中心にして、下端部を屋内外方向に回動させる回動機構と、を備え、
該回動機構は、
前記框体の上框から前記枠体の上枠側へ延び、先端部に左右方向を向く回動軸部が設けられた回動体と、
前記上枠から前記上框側へ延び、前記回動軸部を回動可能に支持する軸支持部が設けられた支持体と、を備え、
前記回動機構は、前記上枠及び前記上框の長手方向の略全長にわたって配置されていることを特徴とする建具。
【請求項２】
前記軸支持部には、屋外側に向かって開口する開口部が形成され、
前記回動体は、
前記上框から前記上枠側に延びる上向き部と、
該上向き部から屋内側に向かって延び、前記開口部に配置され、先端部に前記回動軸部が設けられた軸基端部と、を有し、
前記回動機構は、前記軸支持部の屋内側に配置された外れ止め部を備え、
前記回動体と前記外れ止め部とで前記軸支持部を挟持している請求項１に記載の建具。
【発明の詳細な説明】
【技術分野】
【０００１】
本発明は、建具に関するものである。
【背景技術】
【０００２】
従来から、枠体と、枠体内に設けられた障子と、を有し、枠体の上枠と障子の上框とが蝶番を介して連結され、障子が上端部を中心に回動して、下端部を屋外側に向けるように枠体内を開放可能な突出し窓が知られている（例えば、下記の特許文献１参照）。
【先行技術文献】
【特許文献】
【０００３】
【特許文献１】特開２００７−３２１４１１号公報
【発明の概要】
【発明が解決しようとする課題】
【０００４】
しかしながら、特許文献１に記載の突出し窓では、蝶番が上枠の長手方向に間隔を有して複数配置されているため、上枠と上框との間では、隣り合う蝶番どうしの間から、雨水が屋内側に浸入する虞がある。
【０００５】
そこで、本発明は、上記事情に鑑みてなされたものであり、水密性が高い建具を提供する。
【課題を解決するための手段】
【０００６】
上記目的を達成するために、本発明は以下の手段を採用している。
すなわち、本発明に係る建具は、枠体と、該枠体内に設けられ、框体を有する障子と、前記障子の上端部を中心にして、下端部を屋内外方向に回動させる回動機構と、を備え、該回動機構は、前記框体の上框から前記枠体の上枠側へ延び、先端部に左右方向を向く回動軸部が設けられた回動体と、前記上枠から前記上框側へ延び、前記回動軸部を回動可能に支持する軸支持部が設けられた支持体と、を備え、前記回動機構は、前記上枠及び前記上框の長手方向の略全長にわたって配置されていることを特徴とする。
【０００７】
このように構成された建具は、上框に設けられ左右方向を向く回動軸部が、上枠に設けられた軸支持部に回動可能に支持された、いわゆる突出し窓である。軸支持部は上枠から上框側へ延びるとともに、回動軸部は上框から上枠側へ延びている。回動機構は、上枠及び上框の長手方向の略全長にわたって配置されている。よって、上枠と上框との間は、長手方向の略全長にわたって、軸支持部及び回動軸部で塞がれ、屋内外方向に貫通する隙間が生じないため、屋内側への雨水の浸入が回動機構で阻止され、水密性を高めることができる。
【０００８】
また、本発明に係る建具は、前記軸支持部には、屋外側に向かって開口する開口部が形成され、前記回動体は、前記上框から前記上枠側に延びる上向き部と、該上向き部から屋内側に向かって延び、前記開口部に配置され、先端部に前記回動軸部が設けられた軸基端部と、を有し、前記回動機構は、前記軸支持部の屋内側に配置された外れ止め部を備え、前記回動体と前記外れ止め部とで前記軸支持部を挟持していることが好ましい。
【０００９】
このように構成された建具では、軸支持部は、屋外側に配置された回動体と、屋内側に配置された外れ止め部とで、屋内外方向に挟持されている。よって、回動体と支持体とを強固に連結することができる。また、軸支持部に屋外側に向かって開口する開口部が形成されていても、開口部に配置された回動体の軸基端部が開口部から脱落するがことがない。
【発明の効果】
【００１０】
本発明に係る建具によれば、水密性が高めることができる。
【図面の簡単な説明】
【００１１】
【図１】本発明の一実施形態に係る建具を屋外側から見た正面図である。
【図２】本発明の一実施形態に係る建具の縦断面図である。
【図３】本発明の一実施形態に係る建具の横断面図である。
【図４】図２の上部の拡大図である。
【図５】本発明の一実施形態に係る建具の開放状態において、上部の拡大図である。
【発明を実施するための形態】
【００１２】
以下、本発明の一実施形態に係る建具の一例として段窓について、図１から図５に基づいて説明する。
図１は、本発明の一実施形態に係る建具を屋外側から見た正面図である。
図１に示すように、本実施形態による段窓１００は、建築物に形成された開口部に取り付けられる枠体１と、枠体１内の上側に配置された突出し窓２と、枠体１内の下側に配置されたＦＩＸ窓（嵌め殺し窓）３と、を備えている。突出し窓２は、障子２Ａの上端部を中心にして、下端部を屋内外方向に回動させて枠体１内を開放するものである。
なお、以下の説明において、屋外側と屋内側とを結ぶ方向を屋内外方向と称する。また、開口部が壁部を貫通する方向（壁部に対向する方向）から見た際の左側と右側を結ぶ水平方向を左右方向と称する。
【００１３】
枠体１は、左右方向に延在する上枠１１及び下枠１２と、上枠１１の両端部と下枠１２の両端部とをそれぞれ連結し上下方向に延在する縦枠１３と、各縦枠１３の上下方向の中間どうしを連結する無目１４（図２参照。以下同じ。）と、有している。
【００１４】
ＦＩＸ窓３は、無目１４、下枠１２及び縦枠１３の下部により形成された四方枠１５の内部に嵌め込まれた窓ガラス１８を有している。
【００１５】
以下において、突出し窓２の構成について説明する。
突出し窓２は、上枠１１、無目１４及び縦枠１３の上部により形成された四方枠１６の内部に配置された障子２Ａを有している。
【００１６】
障子２Ａは、四方枠状に形成された框体２０と、框体２０内に嵌め込まれた窓ガラス２８と、を有している。
【００１７】
図２は、段窓１００の縦断面図である。図３は、段窓１００の突出し窓２部分の横断面図である。
図２及び図３に示すように、框体２０は、左右方向に延在する上框２１及び下框２２と、上框２１の両端部と下框２２の両端部とをそれぞれ連結し上下方向に延在する縦框２３と、有している。
【００１８】
上框２１、下框２２及び縦框２３における窓ガラス２８に対向する側には、それぞれ窓ガラス２８から離間する方向に凹むガラス溝２７が形成されている。ガラス溝２７内に、窓ガラス２８の周縁部が配置されている。下框２２、縦框２３の屋外側には、それぞれ下押縁３２、縦押縁３３が設けられ、窓ガラス２８の周縁部を屋内側に押圧している。
【００１９】
各縦框２３の上端部は、上框２１の左右方向の端部の下端部に連結されている。各縦框２３の下端部は、下框２２の左右方向の端部の上端部に連結されている。図１に示すように、各縦押縁３３の上端部は、上框２１の左右方向の端部の下端部に連結されている。各縦押縁３３の下端部は、下押縁３２（図２参照。以下同じ。）の左右方向の端部の上端部に連結されている。つまり、上框２１及び下框２２がそれぞれ縦框２３に勝つ、いわゆる横通し（横勝ち）で框体２０は組まれている。
【００２０】
次に、上枠１１の構成について詳細に説明する。
図４は、図２の上部の拡大図である。
図４に示すように、上枠１１は、上面枠部１０１と、外側板部１０２と、内側枠部１０３と、下面板部１０４と、を有している。本実施形態では、上枠１１はアルミニウム等の金属部材で構成されている。
【００２１】
上面枠部１０１は、上枠１１の上面を構成している。上面枠部１０１は、屋内側が下方に凹んだ形状をなしている。
【００２２】
外側板部１０２は、上枠１１の屋外側の面を構成している。外側板部１０２は、上面枠部１０１の屋外側の端部から下方に延びている。外側板部１０２は、板状に形成されている。外側板部１０２は、板面を屋内外方向に向けて配置されている。
【００２３】
内側枠部１０３の屋内側を向く面は、上枠１１の屋内側の面を構成している。内側枠部１０３は、左右方向に延びる中空部１０３ｓを有するホロー構造をなしている。内側枠部１０３の上端部且つ屋外側の端部は、上面枠部１０１に連結されている。
【００２４】
内側枠部１０３の下部には、屋外側に開放する嵌合部１０５が設けられている。嵌合部１０５には、気密材１０６が嵌合されている。気密材１０６は、障子２Ａの後述する上框２１に当接可能とされている。
【００２５】
下面板部１０４は、外側板部１０２の下部と、内側枠部１０３の屋内側を向く面の上下方向の中間とを連結している。下面板部１０４は、板状に形成されている。下面板部１０４は、板面を上下方向に向けて配置されている。
【００２６】
次に、上框２１の構成について詳細に説明する。
上框２１は、第１框上板部２０１と、傾斜框板部２０２と、第２框上板部２０３と、外側框板部２０４と、内側框板部２０５と、第１框下板部２０６と、第２框下板部２０７と、溝形成部２０８と、を有している。本実施形態では、上框２１はアルミニウム等の金属部材で構成されている。
【００２７】
第１框上板部２０１は、板状に形成されている。第１框上板部２０１は、板面を上下方向に向けて配置されている。
【００２８】
傾斜框板部２０２は、第１框上板部２０１の屋内側の端部に接続され、下方に向かうにしたがって次第に屋内側に傾斜するように設けられている。傾斜框板部２０２の上端部は、第１框上板部２０１の上面よりも上方に突出している。
【００２９】
第２框上板部２０３は、傾斜框板部２０２の屋内側の端部から屋内側に向かって延びている。第２框上板部２０３は、板状に形成されている。第２框上板部２０３は、板面を上下方向に向けて配置されている。
【００３０】
第１框上板部２０１、傾斜框板部２０２及び第２框上板部２０３は、上框２１の上面を構成している。第１框上板部２０１、傾斜框板部２０２及び第２框上板部２０３は、上枠１１の下面板部１０４の下方に空間部Ｓ１を有して配置されている。
【００３１】
外側框板部２０４は、第１框上板部２０１の屋外側の端部から鉛直下方に延び、上下方向の中間部では下方に向かうにしたがって次第に屋外側に向かうように傾斜し、下端部では鉛直下方に延びている。
【００３２】
内側框板部２０５は、第２框上板部２０３の屋内側の端部から下方に延びている。内側框板部２０５は、板状に形成されている。内側框板部２０５は、板面を屋内外方向に向けて配置されている。内側框板部２０５の屋内側を向く面に、上枠１１に設けられた気密材１０６が当接可能とされている。
【００３３】
第１框下板部２０６は、外側框板部２０４の下端部から屋内側に向かって延びている。第１框下板部２０６は、板状に形成されている。第１框下板部２０６は、板面を上下方向に向けて配置されている。
【００３４】
第２框下板部２０７は、内側框板部２０５の下端部から屋外側に向かって延びている。第２框下板部２０７は、板状に形成されている。第２框下板部２０７は、板面を上下方向に向けて配置されている。
【００３５】
溝形成部２０８は、第１框下板部２０６と第２框下板部２０７との間に設けられている。溝形成部２０８は、上方に凹む形状をなしている。溝形成部２０８は、窓ガラス２８の周縁部が配置されるガラス溝２７を構成している。
【００３６】
次に、障子２Ａの上端部を中心にして下端部を屋内外方向に回動させる回動機構４について詳細に説明する。
回動機構４は、上枠１１に設けられた支持体４１と、上框２１に設けられた回動体４２と、上框２１に連結された外れ止め部材（外れ止め部）４３と、を備えている。
【００３７】
支持体４１は、下面板部１０４の屋外側の部分に設けられている。支持体４１は、垂下部４１１と、円弧軸支持部（軸支持部）４１２と、を有している。支持体４１は、上枠１１の長手方向（左右方向）の略全長にわたって設けられている。本実施形態では、支持体４１は金属部材で上枠１１と一体として構成されている。
【００３８】
垂下部４１１は、下面板部１０４の屋外側の部分から下方（上框２１側）に垂下している。垂下部４１１は、板状に形成されている。垂下部４１１は、板面を屋内外方向に向けて配置されている。
【００３９】
円弧軸支持部４１２は、垂下部４１１の先端部（下端部）に設けられている。円弧軸支持部４１２は、屋外側且つ上方に向けて開放する形状をなしている。換言すると、円弧軸支持部４１２の屋外側且つ上方には、開口部Ｓ１１が形成されている。円弧軸支持部４１２は、屋内外方向及び鉛直方向に沿う断面で略Ｃ字状をなしている。円弧軸支持部４１２の外周面（下面）４１２ｊには、周方向に沿って凹凸が形成されている。
【００４０】
回動体４２は、第１框上板部２０１の屋外側の端部に設けられている。回動体４２は、上向き部４２１と、軸基端部４２２と、回動軸部４２３と、を有している。回動体４２は、上框２１の長手方向（左右方向）の略全長にわたって設けられている。本実施形態では、回動体４２は金属部材で上框２１と一体として構成されている。
【００４１】
上向き部４２１は、第１框上板部２０１の屋外側の端部から上方（上枠１１側）に延びている。上向き部４２１は、板状に形成されている。上向き部４２１は、板面を屋内外方向に向けて配置されている。
【００４２】
軸基端部４２２は、上向き部４２１の上端部から下方に向かうにしたがって次第に屋内側に傾斜するように設けられている。軸基端部４２２は、板状に形成されている。軸基端部４２２は、板面を屋内側且つ上方と屋外側且つ下方とを結ぶ方向に向けて配置されている。
【００４３】
回動軸部４２３は、軸基端部４２２の下端部（屋内側の端部）に設けられている。回動軸部４２３は、左右方向を向く軸線Ｘに沿って配置されている。回動軸部４２３の外周面４２３ｊには、周方向に沿って凹凸が形成されている。
【００４４】
回動体４２では、軸基端部４２２が支持体４１の開口部Ｓ１１内に配置され、回動軸部４２３が円弧軸支持部４１２の上面に回動自在に支持されている。
【００４５】
外れ止め部材４３は、支持体４１の屋内側に配置されている。外れ止め部材４３は、取付け部４３１と、嵌合部４３２と、延出部４３３と、円弧挟持部４３４と、を有している。外れ止め部材４３は、上框２１の長手方向（左右方向）の略全長にわたって設けられている。
【００４６】
取付け部４３１は、上框２１の傾斜框板部２０２の屋内側を向く面に沿って配置されている。取付け部４３１に形成された取付孔から挿通された螺子４３１ｚが、上框２１の傾斜框板部２０２に螺合されている。
【００４７】
嵌合部４３２は、取付け部４３１の上端部に設けられている。嵌合部４３２は、傾斜框板部２０２の上端部に対応した形状をなし、傾斜框板部２０２の上端部を嵌合している。
【００４８】
延出部４３３は、嵌合部４３２の屋外側の端部から屋外側に向かって延びている。延出部４３３は、板状に形成されている。延出部４３３は、板面を上下方向に向けて配置されている。
【００４９】
円弧挟持部４３４は、延出部４３３の屋外側の端部に設けられている。円弧挟持部４３４は、支持体４１の円弧軸支持部４１２の屋内側を向く面に対応した形状をなしている。外れ止め部材４３の円弧挟持部４３４と回動体４２の回動軸部４２３とで、支持体４１の円弧軸支持部４１２を屋内外方向に挟持している。
【００５０】
障子２Ａは、枠体１や框体２０に設けられた滑車（不図示。以下同じ。）に巻回されたワイヤー（不図示。以下同じ。）で枠体１と連結されている。ワイヤーには、障子２Ａを閉じる閉方向の張力が付与されている。障子２Ａは、ダンパー（不図示。以下同じ。）を介して枠体１と連結されている。ダンパーには、障子２Ａを開く開方向の力が付与されている。ワイヤーの張力を調整可能な操作部（不図示。以下同じ。）が設けられている。
【００５１】
図４に示す障子２Ａが枠体１内を閉塞する閉位置から、操作部を操作すると、ワイヤーに付与された張力が解除され、障子２Ａはダンパーから開方向への力を受ける。
【００５２】
図５は、突出し窓２の開放状態において、上部の拡大図である。
図５に示すように、障子２Ａの回動体４２の回動軸部４２３は、上枠１１の支持体４１の円弧軸支持部４１２に支持されつつ軸線Ｘを中心に回動する。回動軸部４２３は、円弧軸支持部４１２の内周面に沿って移動する。上框２１に連結された外れ止め部材４３では、円弧挟持部４３４が、円弧軸支持部４１２の外周面に沿って移動する。このようにして、障子２Ａの下端部側が屋外側に移動するように、障子２Ａが枠体１内を開放する開位置に移動する。
【００５３】
次に、上記の突出し窓２の障子２Ａを上枠１１に固定する施工方法について説明する。
障子２Ａの回動体４２の回動軸部４２３を、上枠１１の支持体４１の円弧軸支持部４１２上に載せる。図５に示すように、障子２Ａを枠体１に対して開位置に傾けた状態にして、支持体４１の屋内側に外れ止め部材４３を配置する。外れ止め部材４３と回動体４２とで支持体４１を挟み込むようにして、外れ止め部材４３を上框２１に螺子止めする。このようにして、障子２Ａが上枠１１に固定される。
【００５４】
このように構成された段窓１００の突出し窓２では、円弧軸支持部４１２は上枠１１から上框２１側へ延びるとともに、回動軸部４２３は上框２１から上枠１１側へ延びている。回動機構４は、上枠１１と上框２１との間は、長手方向の略全長にわたって、円弧軸支持部４１２及び回動軸部４２３で塞がれ、屋内外方向に貫通する隙間が生じない。よって、屋内側への雨水の浸入が回動機構４で阻止され、水密性を高めることができる。
【００５５】
また、上記のように、上枠１１と上框２１との間から屋内側への雨水の浸入が回動機構４で阻止されるため、回動機構４よりも屋外側に雨水の浸入を阻止する止水材等の水切り部材を設ける必要がない。よって、水切り部材を固定する施工作業の工数が削減される。また、回動機構４よりも屋外側に水切り部材が設けられないため、屋外側に水切り部材が露出することがなく、意匠性を向上させることができる。
【００５６】
また、円弧軸支持部４１２は、屋外側に配置された回動体４２と、屋内側に配置された外れ止め部材４３とで、屋内外方向に挟持されている。よって、回動体４２と支持体４１とを強固に連結することができる。また、円弧軸支持部４１２に屋外側に向かって開口する開口部Ｓ１１が形成されていても、開口部Ｓ１１に配置された回動体４２の軸基端部４２２が開口部Ｓ１１から脱落するがことがない。
【００５７】
また、支持体４１は金属部材で上枠１１と一体として構成されるとともに、回動体４２は金属部材で上框２１と一体として構成されている。よって、支持体４１及び回動体４２はそれぞれ上枠１１及び上框２１に螺子等で固定される構成ではないため、螺子の緩みや外れ等の要因に起因して、支持体４１及び回動体４２がそれぞれ上枠１１及び上框２１から外れて、障子２Ａが上枠１１から脱落することが抑制される。
【００５８】
また、外れ止め部材４３を上框２１に固定する螺子４３１ｚは屋内側から螺子止めされているため、螺子４３１ｚを外す際には屋内側から作業することになる。よって、屋外側からは螺子を外して障子２Ａを上枠１１から取り外すことができないため、防犯性が高い。
【００５９】
また、回動軸部４２３の外周面４２３ｊに周方向に沿って凹凸が形成されるとともに、円弧軸支持部４１２の外周面４１２ｊに周方向に沿って凹凸が形成されている。よって、開閉時に、回動体４２及び外れ止め部材４３が回動する際に、回動軸部４２３の外周面４２３ｊと支持体４１の円弧軸支持部４１２の内周面との間の摩擦が低減されるとともに、円弧軸支持部４１２の外周面４１２ｊと外れ止め部材４３の円弧挟持部４３４の内周面との間の摩擦が低減される。よって、開閉時の異音の発生が抑制される。
【００６０】
なお、上述した実施の形態において示した各構成部材の諸形状や組み合わせ等は一例であって、本発明の主旨から逸脱しない範囲において設計要求等に基づき種々変更可能である。
【００６１】
例えば、上記に示す実施形態では、突出し窓２がＦＩＸ窓３と上下方向に並んで配置された段窓１００について説明したが、本発明はこれに限られず、少なくとも突出し窓２が設置されていればよい。例えば、突出し窓のみが設置される構成や、突出し窓が他の窓と左右方向に並んで配置された連窓であってもよい。
【００６２】
また、上記に示す実施形態では、回動機構４は支持体４１と回動体４２と外れ止め部材４３とを備える構成であるが、本発明はこれに限られず、少なくとも回動機構は支持体及び回動体を備えていればよい。
【符号の説明】
【００６３】
１…枠体
２…突出し窓
２Ａ…障子
３…ＦＩＸ窓
４…回動機構
１１…上枠
１２…下枠
１３…縦枠
１４…無目
２０…框体
２１…上框
２２…下框
２３…縦框
２７…ガラス溝
２８…窓ガラス
３２…下押縁
３３…縦押縁
４１…支持体
４２…回動体
４３…外れ止め部材（外れ止め部）
１００…段窓
１０４…下面板部
２０１…第１框上板部
４１１…垂下部
４１２…円弧軸支持部（軸支持部）
４２１…上向き部
４２２…軸基端部
４２３…回動軸部
４３１…取付け部
４３４…円弧挟持部
Ｓ１１…開口部
Ｘ…軸線
【図１】
2019173355.tif 000003
【図２】
2019173355.tif 000004
【図３】
2019173355.tif 000005
【図４】
2019173355.tif 000006
【図５】
2019173355.tif 000007